(57)【特許請求の範囲】
【請求項１】
コンピュータ本体に内蔵接続された第１のポインティングデバイスと、この第１のポインティングデバイスに外付け接続された第２のポインティングデバイスからなり、コンピュータ本体から送信されたデバイス番号要求信号に対し、第１のポインティングデバイスは第２のポインティングデバイスにデバイス番号要求信号の送信を行い、これに対する第２のポインティングデバイスのデバイス番号応答信号と共に自己のデバイス番号応答信号をコンピュータ本体に応答するようにしたポインティングデバイスの通信制御方法。
【請求項２】
コンピュータ本体から２種類のデバイス番号要求信号が送信され、第１のポインティングデバイスは自己のデバイス番号要求信号を受信すると共に、第２のポインティングデバイスにデバイス番号要求信号の送信を行うようにした請求項１記載のポインティングデバイスの通信制御方法。
【請求項３】
コンピュータ本体から複数回のデバイス番号要求信号が送信され、第１のポインティングデバイスは自己のデバイス番号要求信号を受信すると共に、第２のポインティングデバイスにデバイス番号要求信号の送信を行うようにした請求項１記載のポインティングデバイスの通信制御方法。
【請求項４】
コンピュータ本体と第１のポインティングデバイス間、及び第１のポインティングデバイスと第２のポインティングデバイス間を各々連動するアナログスイッチを介して接続し、このアナログスイッチの切換えによって、直接あるいは第１のポインティングデバイスを介して、コンピュータ本体と第２のポインティングデバイスの送受信を行うようにした請求項１〜３のいずれか一つに記載のポインティングデバイスの通信制御方法。
【発明の詳細な説明】
【０００１】
【発明の属する技術分野】
本発明は携帯型パーソナルコンピュータ、ワードプロセッサ等の情報処理機器および家庭用ゲーム機器等に用いられるポインティングデバイスの通信制御方法に関するものである。
【０００２】
【従来の技術】
従来のポインティングデバイスの通信制御方法について、図６及び図７を用いて説明する。
【０００３】
図６は従来の携帯型パーソナルコンピュータに接続されたポインティングデバイスのブロック図、図７は同ポインティングデバイスの通信制御方法のタイミングチャートであり、同図において、１はコンピュータ本体、２はコンピュータ本体１に内蔵されたトラックボールやジョイスティック等の第１のポインティングデバイスであり、内部出入力線３と４によってコンピュータ本体１と第１のポインティングデバイス２の間が接続されて、携帯型パーソナルコンピュータ５が構成されている。
【０００４】
また、６は机上等で携帯型パーソナルコンピュータ５を使用する場合に、コンピュータ本体１に更に外付け接続されて使用されるマウスやジョイスティック等の第２のポインティングデバイスであり、７と８はコンピュータ本体１と第２のポインティングデバイス６間の通信を行うための外部出入力線である。
【０００５】
上記構成において、内蔵された第１のポインティングデバイス２或いは外付けされた第２のポインティングデバイス６を操作すると、ポインティングデバイス２または６を操作した情報の信号がコンピュータ本体入力線４または８からコンピュータ本体１に送信されるため、ポインティングデバイス２または６の操作によるディスプレイ画面上のカーソル（図示せず）の位置移動が行われる。
【０００６】
また、コンピュータ本体１は電源起動時およびアプリケーションソフト起動時に、コンピュータ本体１に接続されているキーボード、ディスプレイ、ポインティングデバイス等の全ての周辺機器の種類を認識するために、図７（ａ）のデバイス番号要求信号３Ａを各周辺機器にコンピュータ本体出力線３より送信し、これに対する図７（ｂ）の各周辺機器からのデバイス番号応答信号４Ａがコンピュータ本体入力線４よりコンピュータ本体１に送信されることによって、接続されている各周辺機器の種類を認識しコンピュータ本体１による各周辺機器への円滑な通信制御を行うように構成されているものであった。
【０００７】
【発明が解決しようとする課題】
しかしながら上記従来のポインティングデバイスの通信制御方法においては、コンピュータ本体１に接続されている各周辺機器の種類を認識するためのコンピュータ本体１から各周辺機器へのデバイス番号要求信号は、図７に示すように各デバイスに対し１つのみであるため、内蔵接続された第１のポインティングデバイス２の他に、更に外付け接続されて使用される第２のポインティングデバイス６をコンピュータ本体１に接続した場合、コンピュータ本体１はポインティングデバイス２または６のデバイス番号応答信号の区分を認識できず、その結果、ポインティングデバイス２または６何れの操作によってもディスプレイ画面上のカーソル（図示せず）の位置移動が行われてしまい、また、ポインティングデバイス２または６どちらか一方を強制的に未使用状態にしたい場合も、機能が連動されているため両方が使用できない状態となり、誤動作が生じ易く使用勝手が悪いという課題があった。
【０００８】
本発明は、このような従来の課題を解決するものであり、コンピュータ本体に第１のポインティングデバイスを内蔵接続した携帯型パーソナルコンピュータに、更に第２のポインティングデバイスが外付け接続されても、コンピュータ本体が両方のポインティングデバイスのデバイス番号応答信号を認識できるポインティングデバイスの通信制御方法を提供することを目的とするものである。
【０００９】
【課題を解決するための手段】
上記課題を解決するために本発明のポインティングデバイスの通信制御方法は、コンピュータ本体からデバイス番号要求信号が送信されると、これを受信した第１のポインティングデバイスが、第２のポインティングデバイスに対しデバイス番号要求信号を送信し、第２のポインティングデバイスから受信したデバイス番号応答信号と共に自己のデバイス番号応答信号をコンピュータ本体に応答する構成としたものである。
【００１０】
これにより、コンピュータ本体に第１のポインティングデバイスを内蔵接続した携帯型パーソナルコンピュータに、更に第２のポインティングデバイスが外付け接続されても、コンピュータ本体が両方のポインティングデバイスのデバイス番号応答信号を認識でき、誤動作がなく使用勝手の良いポインティングデバイスの通信制御方法が得られる。
【００１１】
【発明の実施の形態】
本発明の請求項１に記載の発明は、コンピュータ本体に内蔵接続された第１のポインティングデバイスと、この第１のポインティングデバイスに外付け接続された第２のポインティングデバイスからなり、コンピュータ本体から送信されたデバイス番号要求信号に対し、第１のポインティングデバイスは第２のポインティングデバイスにデバイス番号要求信号の送信を行い、これに対する第２のポインティングデバイスのデバイス番号応答信号と共に自己のデバイス番号応答信号をコンピュータ本体に応答するようにしたポインティングデバイスの通信制御方法としたものであり、コンピュータ本体の通信回路構成を変更することなく、コンピュータ本体が内蔵及び外付け両方のポインティングデバイスを認識でき、誤動作がなく使用勝手の良いポインティングデバイスの通信制御方法を得ることができるという作用を有する。
【００１２】
請求項２に記載の発明は、請求項１記載の発明において、コンピュータ本体から２種類のデバイス番号要求信号が送信され、第１のポインティングデバイスは自己のデバイス番号要求信号を受信すると共に、第２のポインティングデバイスにデバイス番号要求信号の送信を行うようにしたものであり、外付けの第２のポインティングデバイスには何ら変更を加えることなく、内蔵及び外付け両方のポインティングデバイスを認識できるポインティングデバイスの通信制御方法が得られるという作用を有する。
【００１３】
請求項３に記載の発明は、請求項１記載の発明において、コンピュータ本体から複数回のデバイス番号要求信号が送信され、第１のポインティングデバイスは自己のデバイス番号要求信号を受信すると共に、第２のポインティングデバイスにデバイス番号要求信号の送信を行うようにしたものであり、コンピュータ本体に簡単な変更を加えるだけで、内蔵及び外付け両方のポインティングデバイスを認識できるポインティングデバイスの通信制御方法が得られるという作用を有する。
【００１４】
請求項４に記載の発明は、請求項１〜３のいずれか一つに記載の発明において、コンピュータ本体と第１のポインティングデバイス間、及び第１のポインティングデバイスと第２のポインティングデバイス間を各々連動するアナログスイッチを介して接続し、このアナログスイッチの切換えによって、直接あるいは第１のポインティングデバイスを介して、コンピュータ本体と第２のポインティングデバイスの送受信を行うようにしたものであり、第１のポインティングデバイスと第２のポインティングデバイスとの間に万一通信のトラブルが生じた場合でも、アナログスイッチを切換えることによって、コンピュータ本体と第２のポインティングデバイスとの直接の通信が可能となるという作用を有する。
【００１５】
以下、本発明の実施の形態について、図１〜図５を用いて説明する。
なお、従来の技術の項で説明した構成と同一構成の部分には同一番号を付して、その詳細な説明を省略する。
【００１６】
（実施の形態１）
図１は本発明の第１の実施の形態によるポインティングデバイスの通信制御方法を説明するための、携帯型パーソナルコンピュータに接続されたポインティングデバイスのブロック図、図２は同ポインティングデバイスの通信制御方法のタイミングチャートであり、同図において、１はコンピュータ本体、２はコンピュータ本体１に内蔵されたトラックボールやジョイスティック等の第１のポインティングデバイスであり、内部出入力線１３と１４によってコンピュータ本体１と第１のポインティングデバイス２の間が接続されて、携帯型パーソナルコンピュータ１５が構成されている。
【００１７】
また、６はコンピュータ本体１に更に外付け接続されて使用されるマウスやジョイスティック等の第２のポインティングデバイスであり、１７と１８は第１のポインティングデバイス２と第２のポインティングデバイス６間の通信を行うための外部出入力線である。
【００１８】
上記構成において、電源起動時およびアプリケーションソフト起動時に、コンピュータ本体１に接続されている全ての周辺機器の種類を認識するための図２（ａ）の１バイトのデバイス番号要求信号１３Ａが、コンピュータ本体１から内部出力線１３によって送信されると、これを受信した第１のポインティングデバイス２は、図２（ｂ）のデバイス番号要求信号１７Ａを外部出力線１７から第２のポインティングデバイス６へ送信し、外部入力線１８によって第２のポインティングデバイス６から応答された図２（ｃ）のデバイス番号応答信号１８Ａを２バイト目の応答信号１４Ｂに、また自己の持っているデバイス番号応答信号１４Ａを１バイト目にした図２（ｄ）の応答信号を、内部入力線１４によってコンピュータ本体１に応答する。
【００１９】
このように本実施の形態によれば、コンピュータ本体１は第１のポインティングデバイス２からのデバイス番号応答信号１４Ａと１４Ｂによって第１のポインティングデバイス２と第２のポインティングデバイス６の区分を認識できるため、コンピュータ本体１の通信回路構成を変更することなく、コンピュータ本体１が内蔵及び外付け両方の第１、第２のポインティングデバイス２及び６を認識でき、誤動作がなく使用勝手の良いポインティングデバイスの通信制御方法を得ることができる。
【００２０】
なお、第２のポインティングデバイス６が接続されていない場合は、第１のポインティングデバイス２は、コンピュータ本体１からのデバイス番号要求信号１３Ａに対し、自己のデバイス番号応答信号１４Ａのみをコンピュータ本体１に応答する。
【００２１】
（実施の形態２）
図３は本発明の第２の実施の形態によるポインティングデバイスの通信制御方法のタイミングチャートであり、コンピュータ本体１と第１のポインティングデバイス２及び第２のポインティングデバイス６の接続構成は上記実施の形態１と同じであるので説明を省略し、通信制御方法の動作のみを説明する。
【００２２】
同図において、コンピュータ本体１が第１のポインティングデバイス２へ、図３（ａ）の第１のポインティングデバイス２へのデバイス番号要求信号１３Ｂと第２のポインティングデバイス６へのデバイス番号要求信号１３Ｃの２種類の要求信号を一定間隔をおいて連続して送信すると、これを受信した第１のポインティングデバイス２は、自己のデバイス番号要求信号１３Ｂを受け取ると共に、第２のポインティングデバイス６へのデバイス番号要求信号１３Ｃに対する図３（ｂ）のデバイス番号要求信号１７Ｂを第２のポインティングデバイス６へ送信する。
【００２３】
また、第１のポインティングデバイス２からのデバイス番号要求信号１７Ｂを受信した第２のポインティングデバイス６は、図３（ｃ）のデバイス番号応答信号１８Ｂを第１のポインティングデバイス２へ応答し、これを受信した第１のポインティングデバイス２は、自己のデバイス番号要求信号１３Ｂに対するデバイス番号応答信号１４Ｃを１バイト目とし、第２のポインティングデバイス６から受信したデバイス番号応答信号１８Ｂに対するデバイス番号応答信号１４Ｄを２バイト目とした図３（ｄ）の応答信号をコンピュータ本体１へ応答する。
【００２４】
このように、コンピュータ本体１が第１のポインティングデバイス２へのデバイス番号要求信号１３Ｂと第２のポインティングデバイス６へのデバイス番号要求信号１３Ｃの２種類の要求信号を送信し、また第１のポインティングデバイス２からのデバイス番号応答信号１４Ｃと１４Ｄによって第１のポインティングデバイス２と第２のポインティングデバイス６の区分を認識するため、外付けの第２のポインティングデバイス６には何ら変更を加えることなく、内蔵及び外付け両方の第１、第２のポインティングデバイス２及び６が認識できるポインティングデバイスの通信制御方法を得ることができる。
【００２５】
（実施の形態３）
図４は本発明の第３の実施の形態によるポインティングデバイスの通信制御方法のタイミングチャートであり、同図において、コンピュータ本体１が第１のポインティングデバイス２へ、図４（ａ）の電源起動時およびアプリケーションソフト起動時のリセット命令信号１３Ｄに続けて同種のデバイス番号要求信号１３Ｅと１３Ｆを一定間隔をおいて連続して送信すると、これを受信した第１のポインティングデバイス２は、自己のデバイス番号要求信号１３Ｅを受け取ると共に、２回目のデバイス番号要求信号１３Ｆに対しては図４（ｂ）のデバイス番号要求信号１７Ｃを第２のポインティングデバイス６へ送信する。
【００２６】
また、第１のポインティングデバイス２からのデバイス番号要求信号１７Ｃを受信した第２のポインティングデバイス６は、図４（ｃ）のデバイス番号応答信号１８Ｃを第１のポインティングデバイス２へ応答し、これを受信した第１のポインティングデバイス２は、自己のデバイス番号要求信号１３Ｅに対するデバイス番号応答信号１４Ｅを１バイト目とし、第２のポインティングデバイス６から受信したデバイス番号応答信号１８Ｃに対するデバイス番号応答信号１４Ｆを２バイト目とした図４（ｄ）の応答信号をコンピュータ本体１へ応答する。
【００２７】
このように、コンピュータ本体１が同種のデバイス番号要求信号１３Ｅと１３Ｆを２回送信し、また第１のポインティングデバイス２からのデバイス番号応答信号１４Ｅと１４Ｆによって第１のポインティングデバイス２と第２のポインティングデバイス６の区分を認識するため、コンピュータ本体１に簡単な変更を加えるだけで、内蔵及び外付け両方の第１、第２のポインティングデバイス２及び６が認識できるポインティングデバイスの通信制御方法を得ることができる。
【００２８】
（実施の形態４）
図５は本発明の第４の実施の形態によるポインティングデバイスの通信制御方法を説明するための、携帯型パーソナルコンピュータに接続されたポインティングデバイスのブロック図であり、同図において、１はコンピュータ本体、２はコンピュータ本体１に内蔵された第１のポインティングデバイスであり、コンピュータ本体１の内部出入力線１３と１４によってコンピュータ本体１と第１のポインティングデバイス２間が接続されて、携帯型パーソナルコンピュータ１５が構成されると共に、コンピュータ本体１に更に外付けされた第２のポインティングデバイス６が外部出入力線１７と１８によって第１のポインティングデバイス２に接続されている。
【００２９】
また、１９と２０は、コンピュータ本体１と第１のポインティングデバイス２間と、第１のポインティングデバイス２と第２のポインティングデバイス６間に各々設けられた連動するアナログスイッチで、一方の極は内部出入力線１３と１４及び外部出入力線１７と１８に接続され、他方の極は出入力線２１と２２によってコンピュータ本体１と第２のポインティングデバイス６間を直接接続するように構成されている。
【００３０】
上記構成において、アナログスイッチ１９と２０が図示の状態にある場合は、コンピュータ本体１と第１のポインティングデバイス２及び第２のポインティングデバイス６の通信制御方法の動作は上記実施の形態１〜３と同様であるが、アナログスイッチ１９と２０を切換えた場合は、コンピュータ本体１からの出力線２１によるデバイス番号要求信号に対し、第２のポインティングデバイス６がデバイス番号応答信号を入力線２２によって直接コンピュータ本体１に応答する。
【００３１】
このように、アナログスイッチ１９と２０の切換えによってコンピュータ本体１と第２のポインティングデバイス６が、直接或いは第１のポインティングデバイス２を介して接続される構成となっているため、第１のポインティングデバイス２と第２のポインティングデバイス６との間に万一通信のトラブルが生じた場合でも、アナログスイッチ１９と２０を切換えることによって、コンピュータ本体１と第２のポインティングデバイス６との直接の通信が可能となる。
【００３２】
【発明の効果】
以上のように本発明によれば、コンピュータ本体に第１のポインティングデバイスを内蔵接続した携帯型パーソナルコンピュータに、更に第２のポインティングデバイスが外付け接続されても、コンピュータ本体が両方のポインティングデバイスのデバイス番号応答信号を認識でき、誤動作がなく使用勝手の良いポインティングデバイスの通信制御方法を得ることができる。
【図面の簡単な説明】
【図１】本発明の第１の実施の形態によるポインティングデバイスの通信制御方法を説明するための、携帯型パーソナルコンピュータに接続されたポインティングデバイスのブロック図
【図２】同ポインティングデバイスの通信制御方法のタイミングチャート
【図３】本発明の第２の実施の形態によるポインティングデバイスの通信制御方法のタイミングチャート
【図４】本発明の第３の実施の形態によるポインティングデバイスの通信制御方法のタイミングチャート
【図５】本発明の第４の実施の形態によるポインティングデバイスの通信制御方法を説明するための、携帯型パーソナルコンピュータに接続されたポインティングデバイスのブロック図
【図６】従来のポインティングデバイスの通信制御方法を説明するための、携帯型パーソナルコンピュータに接続されたポインティングデバイスのブロック図
【図７】同ポインティングデバイスの通信制御方法のタイミングチャート
【符号の説明】
１  コンピュータ本体
２  第１のポインティングデバイス
６  第２のポインティングデバイス
１３  内部出力線
１３Ａ，１３Ｂ，１３Ｃ，１３Ｅ，１３Ｆ  デバイス番号要求信号
１３Ｄ  リセット命令信号
１４  内部入力線
１４Ａ，１４Ｂ，１４Ｃ，１４Ｄ，１４Ｅ，１４Ｆ  デバイス番号応答信号
１５  携帯型パーソナルコンピュータ
１７  外部出力線
１７Ａ，１７Ｂ，１７Ｃ  デバイス番号要求信号
１８  外部入力線
１８Ａ，１８Ｂ，１８Ｃ  デバイス番号応答信号
１９，２０  アナログスイッチ
２１  出力線
２２  入力線
【図１】
0003750226.tif 000002
【図２】
0003750226.tif 000003
【図３】
0003750226.tif 000004
【図４】
0003750226.tif 000005
【図５】
0003750226.tif 000006
【図６】
0003750226.tif 000007
【図７】
0003750226.tif 000008